(57)【要約】【課題】電照パネルと陳列室の双方を同時に、しかも均一に照明できる照明構造を備えたショーケースを提供する。【解決手段】ショーケースの陳列室２の開口部の上端前面に電照パネル１５が配置され、その後方の照明区画１３に、電照パネル１５および陳列室２を照明するための照明構造１４を設ける。照明構造１４は、直線状のＬＥＤモジュール２２と、電照パネル１５の左右幅方向へ連続する導光体２３とを含む。導光体２３には、電照パネル１５と正対する第１発光面３１と、陳列室２を指向する第２発光面３２を設ける。第１発光面３１および第２発光面３２から発光される面状の照明光で、電照パネル１５および陳列室２を同時に照明する。【選択図】図１
2012161449.tif 000002
【特許請求の範囲】
【請求項１】
陳列室（２）の開口部の上端前面に電照パネル（１５）が配置されており、
電照パネル（１５）の後方の照明区画（１３）に、電照パネル（１５）および陳列室（２）に照明光を照射する照明構造（１４）が設けてあるショーケースであって、
照明構造（１４）が、電照パネル（１５）に沿って直線状に配置されるＬＥＤモジュール（２２）と、ＬＥＤモジュール（２２）に沿って配置される導光体（２３）とを含み、
導光体（２３）に、ＬＥＤモジュール（２２）と正対する入光面（３０）と、電照パネル（１５）と正対する第１発光面（３１）と、陳列室（２）を指向する第２発光面（３２）とが設けられており、
導光体（２３）は、電照パネル（１５）および陳列室（２）の左右幅方向へ連続する状態で設けられており、
第１発光面（３１）および第２発光面（３２）から発光される面状の照明光で、電照パネル（１５）および陳列室（２）を照明することを特徴とするショーケース。
【請求項２】
導光体（２３）が板状の透明材で形成されて、その表面に入光面（３０）と、電照パネル（１５）と平行な第１発光面（３１）と、陳列室（２）を指向する斜めの第２発光面（３２）とが形成されており、
第１発光面（３１）と平行な導光体後面（４１）の側に、照明光を反射し変向する変向構造（４２）が設けてある請求項１に記載のショーケース。
【請求項３】
ＬＥＤモジュール（２２）および導光体（２３）のそれぞれをユニットベース（２１）に固定して、照明構造（１４）が１個の発光ユニットとして構成してある請求項１または２に記載のショーケース。
【請求項４】
第２発光面（３２）と対向する第１発光面（３１）の下側部分に、照明光を導光体（２３）の内部へ向かって反射する反射板（３３）が設けてある請求項１から３のいずれかひとつに記載のショーケース。
【請求項５】
導光体（２３）が、ユニットベース（２１）に固定した支持板（２４）に装着されており、
支持板（２４）は、導光体（２３）の後面全体を覆う反射壁（３６）を備えており、
反射壁（３６）が変向構造（４２）を兼ねている請求項３または４に記載のショーケース。
【発明の詳細な説明】
【技術分野】
【０００１】
本発明は、陳列室の開口部の上端に電照パネルが設けてあるショーケースに関し、電照パネルおよび陳列室の照明構造に関して改良を加えたものである。
【背景技術】
【０００２】
本発明の照明構造に関して、光源としてＬＥＤを使用し、ＬＥＤの光を双方向レンズで二方向へ分光して照射することが特許文献１に公知である。そこでは、陳列室の開口上端に、半透明のシェード（電照パネル）を配置し、その内方空間にＬＥＤと、ＬＥＤの光の一部をシェードへ向かって反射する反射板とを配置している。双方向レンズには、ＬＥＤの光の一部を反射板へ向かって出光させる発光面と、ＬＥＤの光の一部を陳列室へ向かって出光させる発光面とが設けてある。この照明構造によれば、一群のＬＥＤでシェードを照明しながら、陳列室に収容した陳列商品も同時に照明できる。なお、シェードには、例えば陳列商品の大まかな商品種別が表示されており、この表示によってショーケースに陳列された商品種別を遠くから確認することができる。
【０００３】
特許文献２のショーケースにも同様の照明構造が開示されている。そこでは、光源として蛍光灯管を使用しており、蛍光灯管の前周面から照射される照明光で前面パネル（電照パネル）を直接照明し、さらに、蛍光灯管の下周面から照射される照明光で陳列室を直接照明できるようにしている。
【先行技術文献】
【特許文献】
【０００４】
【特許文献１】特開２０１０−０８８５９６号公報（段落番号００１３、図２）
【特許文献２】特開平０８−１９３７８３号公報（段落番号００１２、図２）
【発明の概要】
【発明が解決しようとする課題】
【０００５】
特許文献１の照明構造によれば、一群のＬＥＤでシェードを照明できると同時に、陳列室の内部も照明できるので、シェード照明用のＬＥＤと陳列室照明用のＬＥＤとを設けていた従来のショーケースに比べて、ＬＥＤの使用個数を減らすことができる。しかし、ＬＥＤに取り付けた双方向レンズで、照明光をシェードの側と陳列室の側へ単に分光するだけであるので、双方向レンズから照射される照明光がスポット状になり、さらにスポット状の照明光に明暗があるため、シェードおよび陳列室を均一に照明できない。また、ＬＥＤと、ＬＥＤに取り付けられる双方向レンズと、反射板とで照明構造を構成するので、ＬＥＤの使用個数を減少できるとしても、照明構造の構成部品点数が多く、全体コストが嵩む。照明構造を収容するためのスペースが大きくなる不利もある。
【０００６】
その点、特許文献２の照明構造は、蛍光灯の照明光で前面パネルと陳列室の双方を照明するので、照明構造の構成部品点数を減らして全体コストを削減できる。また、前面パネルの内方空間に蛍光灯を配置すればよいので、照明構造を収容するためのスペースを小さくできる。しかし、ＬＥＤを光源とする場合に比べて、消費電力が多く、しかも、蛍光灯を支持するソケット部分が暗くなるため前面パネルに明暗が生じ、前面パネルを均一に照明できない点に問題がある。
【０００７】
本発明の目的は、電照パネルと陳列室の双方を同時に、しかも均一に照明できるショーケースを提供することにある。本発明の目的は、照明構造を簡素化してその製造に要するコストを削減することにある。
【課題を解決するための手段】
【０００８】
本発明に係るショーケースは、陳列室２の開口部の上端前面に電照パネル１５が配置してあり、電照パネル１５の後方の照明区画１３に、電照パネル１５および陳列室２に照明光を照射する照明構造１４が設けてある。照明構造１４は、電照パネル１５に沿って直線状に配置されるＬＥＤモジュール２２と、ＬＥＤモジュール２２に沿って配置される導光体２３とを含む。図１に示すように、導光体２３には、ＬＥＤモジュール２２と正対する入光面３０と、電照パネル１５と正対する第１発光面３１と、陳列室２を指向する第２発光面３２とを設ける。導光体２３は、電照パネル１５および陳列室２の左右幅方向へ連続する状態で設ける。第１発光面３１および第２発光面３２から発光される面状の照明光で、電照パネル１５および陳列室２を照明することを特徴とする。
【０００９】
図１に示すように、導光体２３は板状の透明材で形成する。導光体２３の表面には、入光面３０と、電照パネル１５と平行な第１発光面３１と、陳列室２を指向する斜めの第２発光面３２を形成する。第１発光面３１と平行な導光体後面４１の側に、照明光を反射し変向する変向構造４２を設ける。
【００１０】
ＬＥＤモジュール２２および導光体２３のそれぞれをユニットベース２１に固定して、照明構造１４を１個の発光ユニットとして構成する。
【００１１】
第２発光面３２と対向する第１発光面３１の下側部分に、照明光を導光体２３の内部へ向かって反射する反射板３３を設ける。
【００１２】
導光体２３を、ユニットベース２１に固定した支持板２４に装着する。支持板２４は、導光体２３の後面全体を覆う反射壁３６を備えており、この反射壁３６が変向構造４２を兼ねている。
【発明の効果】
【００１３】
本発明では、ＬＥＤモジュール２２と導光体２３を含んで照明構造１４を構成し、導光体２３に入光面３０と、第１発光面３１と、第２発光面３２とを設けるようにした。入光面３０から導入された照明光は、導光体２３の内部で繰り返し反射して、光の向きが多様に変化する。そのため、第１発光面３１および第２発光面３２に達した光の向き、および単位面積あたりの光の分布度合はほぼ均一となり、第１発光面３１および第２発光面３２における発光状態を均一化できる。また、導光体２３を電照パネル１５および陳列室２の左右幅方向へ連続する状態で設けるので、第１発光面３１および第２発光面３２においては、照明光を面状に発光できる。したがって、本発明によれば、電照パネル１５と陳列室２の双方を同時に、しかも均一に照明できる照明構造を備えたショーケースを提供することができる。
【００１４】
導光体２３を板状の透明材で形成し、その表面に入光面３０と、第１発光面３１と、斜めの第２発光面３２を形成すると、導光体２３の全体構造を簡素化して、その製造に要するコストを削減できる。また、第１発光面３１と平行な導光体後面４１の側に変向構造４２を設けることにより、導光体後面４１から発光しようとする照明光を変向構造４２で導光体２３の内部へ向かって反射し変向して、第１発光面３１および第２発光面３２から発光させることができる。したがって、導光体２３の内部に導入された照明光の殆どを両発光面３１・３２から発光させて、電照パネル１５および陳列室２を効果的に照明できる。
【００１５】
ＬＥＤモジュール２２および導光体２３をユニットベース２１に固定すると、照明構造１４を１個の発光ユニットとしてコンパクトにまとめることができる。したがって、製造過程における照明構造１４の移送や保管などの手間を省くことができ、さらに、組立に要する手間も軽減できる。また、１個の発光ユニットとしてコンパクト化された照明構造１４は、照明区画１３における取付けスペースが少なくて済むので、照明区画１３を小さくして陳列室２の容積を大きくできる。
【００１６】
第１発光面３１の下側部分に反射板３３を設けると、反射板３３の配置領域から発光しようとする光を導光体２３の内部へ向かって反射して、導光体２３の内部へ戻すことができる。したがって、導光体２３の内部に導入された照明光を無駄のない状態で有効に利用できる。また、第２発光面３２と対向する第１発光面３１の下側部分に反射板３３を設けるので、反射板３３で反射した照明光の殆どを第２発光面３２へ指向させて、第２発光面３２から陳列室２内へ向かって発光でき、陳列室２の内部をより大きな照度で明確に照明できる。
【００１７】
導光体２３の支持板２４に導光体２３の後面全体を覆う反射壁３６を設け、この反射壁３６で変向構造４２を兼ねるようにすると、専用の変向構造４２を設ける必要がなく、その分だけ照明構造１４を簡素化できる。また、導光体２３を支持する支持板２４の反射壁３６で照明光を導光体２３の内部へ向かって反射するので、照明光が主に拡散反射によって反射されることを期待できる。これは、反射壁３６を鏡面化しようとしても、正反射できる加工精度が得られず、殆どの場合、照明光は拡散反射するからである。したがって、導光体２３の内部に再入光する光の向きを多様に変化させて、第１発光面３１および第２発光面３２における発光状態をさらに均一化できる。
【図面の簡単な説明】
【００１８】
【図１】本発明に係る照明構造を示す縦断側面図である。
【図２】ショーケースの概略構造を示す縦断側面図である。
【図３】ショーケースの上部構造を示す正面図である。
【図４】本発明に係る照明構造の斜視図である。
【図５】導光体における照明光の伝播状況を示す説明図である。
【発明を実施するための形態】
【００１９】
（実施例）  図１ないし図５は本発明を適用した冷蔵ショーケース（ショーケース）の実施例を示す。この実施例における前後、左右、上下とは、図２および図３に示す交差矢印と、各矢印の近傍に表記した前後、左右、上下の表示に従う。図２において冷蔵ショーケースは、断熱材で内張りされた本体ケース１と、本体ケース１の内側に配置されて陳列室２を区画する内ケース３と、両ケース１・３の間に区画した冷気通路４に配置される熱交換器５、および冷気循環用のファンユニット６などで構成する。本体ケース１の下部には、熱交換器５に対して冷媒を送受する冷凍機器７が設置してある。
【００２０】
陳列室２は前面が開放されており、この開放面に沿ってエアーカーテンを形成することにより、陳列室２の内部を低温状態に維持している。エアーカーテンは、熱交換後の温度の低い冷気を、陳列室２の上端の吹出口８から陳列室２の下部前端の吸込口９へ向かって吹出すことにより形成される。陳列室２の内部には、陳列棚１０が多段状に設けてある。
【００２１】
吹出口８の前側に隣接して照明区画１３を形成し、その内部に照明構造１４を配置し、照明構造１４の前方に電照パネル１５を配置している。照明区画１３は、吹出口８の前側の区分壁１６（図２参照）と、吹出口８より前方へ張出される天壁１７と、天壁１７の前部下面に固定される電照パネル１５と、電照パネル１５の下端縁を支持する下枠１８などで区画する。照明区画１３の後下隅は、陳列室２の側へ向かって開口しており、この照射開口を介して陳列室２を照明できる。
【００２２】
電照パネル１５は、乳白色に着色された半透明のプラスチック板材からなり、その上下縁が、天壁１７に固定した押え枠１９と、先の下枠１８とで支持してある。下枠１８および押え枠１９は、それぞれ本体ケース１の左右壁に固定してある。図３に示すように、電照パネル１５の左右幅は、陳列室２の前面の開口幅に等しい。電照パネル１５の前面にシールやラベルを貼り付け、あるいは電照パネル１５の前面に印刷を施すことにより、例えば図３に示すように「おにぎり・お弁当」、「ドリンク」、「お酒・ワイン」等の陳列商品の大まかな商品種別を表示できる。電照パネル１５は、第１発光面３１から照射される照明光の透過を抑制して、電照パネル１５がぎらつくのを解消し、先の商品種別を見やすくする。
【００２３】
図４に示すように照明構造１４は、ユニットベース２１と、その下面に固定されるＬＥＤモジュール２２と、ＬＥＤモジュール２２の下側に配置される１個の導光体２３と、導光体２３を支持する支持板２４などで１個の発光ユニットとして構成してある。ユニットベース２１は、前後縁が下向きに折曲げられたプレス金具からなり、その下面の前側に４個のＬＥＤモジュール２２が直線列状に締結固定してあり、ＬＥＤモジュール２２の後側に支持板２４が固定してある。ユニットベース２１を天壁１７に固定した取付金具２５にビス４４で締結することにより、照明構造１４が天壁１７で吊持状に支持されて、その前面が電照パネル１５で覆われる。
【００２４】
各ＬＥＤモジュール２２は、帯状の基板２７と、基板２７の長手方向に沿って一定間隔おきに配置した一群のＬＥＤ２８とで構成してあり、基板２７の長手方向の２個所がユニットベース２１に締結してある。ＬＥＤ２８はチップ型のＬＥＤからなり、基板２７をユニットベース２１に締結した状態において、各ＬＥＤ２８の下面中央の発光面が、導光体２３の入光面３０に密着する状態で正対している。
【００２５】
導光体２３は、アクリル樹脂を素材とする透明な板材で構成してあり、電照パネル１５と同様に陳列室２の左右幅方向へ連続する状態で設けてある。導光体２３の上端面は入光面３０になっており、電照パネル１５の後面と正対する導光体２３の前面は第１発光面３１になっている。また、導光体２３の下部の後隅には、斜めに傾斜する状態で陳列室２を指向する第２発光面３２が設けてある。第２発光面３２と対向する第１発光面３１の下側部分には、照明光を導光体２３の内部へ向かって反射する反射板３３が設けてある。
【００２６】
上記の反射板３３によって、第１発光面３１の発光領域の下限が規定してある。反射板３３は、薄いアルミニウム板材で形成してあり、導光体２３との接合面が鏡面化してある。反射板３３の上縁の位置は、電照パネル１５を支持する下枠１８の上縁の位置と同じか、これより僅かに下側に位置させてあり、これにより、第１発光面３１の面積と、電照パネル１５の露出壁の面積とはほぼ同じになっている。したがって、第１発光面３１から発光される照明光のほとんど全てを、電照パネル１５の照明光として利用できる。
【００２７】
支持板２４は、上側の締結座３５と、導光体２３の後面の全体を覆う反射壁３６とを一体に備えた、アルミニウム板材を素材とする逆Ｌ字状のプレス成形品からなる。締結座３５をビス４５でユニットベース２１に締結することにより、支持板２４をユニットベース２１に固定している。導光体２３は、反射壁３６に対してスペーサー３７を介して接合されて、その周囲６個所が両者２３・３６を挿通するビス３８とナット３９で締結してある。
【００２８】
反射壁３６の導光体２３との対向面は鏡面化してあって、導光体２３から出た照明光を反射壁３６で反射して、導光体２３の内部に再入光させる。つまり、第１発光面３１と平行な導光体後面４１の側に配置した反射壁３６は、照明光を反射して変向する変向構造４２を兼ねている。反射壁３６の下縁は、第２発光面３２の上縁と同じかそれより僅かに高い位置にある（図１参照）。したがって、第２発光面３２から発光される光が反射壁３６で遮られることはなく、第２発光面３２による照明領域を大きくできる。
【００２９】
ＬＥＤモジュール２２を点灯した状態における、導光体２３の内部における照明光の伝播形態の概略を図５に示している。入光面３０から導光体２３の内部に導入された照明光は、直接第２発光面３２に到達し、あるいは第１発光面３１および導光体後面４１で反射を繰り返しながら第２発光面３２に到達し、陳列室２へ向かって発光される。また照明光は、第１発光面３１および導光体後面４１で反射を繰り返したのち、導光体後面４１で反射された照明光が第１発光面３１から発光される。照明光の一部は、導光体後面４１からも照射されるが、導光体後面４１から出た照明光は鏡面化された反射壁３６で反射されて導光体２３の内部に再入光される。そのため、照明光は第１発光面３１および第２発光面３２からのみ発光することとなり、照明光が導光体後面４１の側から漏洩することはない。
【００３０】
上記のように、第１発光面３１と導光体後面４１との間で反射を繰り返すと、導光体２３の内部における光の向きが多様に変化するので、第１発光面３１および第２発光面３２における発光状態を均一化できる。また、反射壁３６の鏡面化の度合には限界があるので、反射壁３６における光の反射は、厳密には正反射とはならず、むしろ拡散反射していることが多い。このように、照明光が反射壁３６で拡散反射されると、導光体２３の内部に再入光する光の向きが多様に変化する。そのため、第１発光面３１および第２発光面３２における発光状態が局部的に偏るのを解消して、両発光面３１・３２における発光状態をさらに均一化できる。加えて、本実施例の照明構造１４では、導光体２３を陳列室２の左右幅方向へ連続する状態で設けるので、第１発光面３１および第２発光面３２は、それぞれ面状の照明光を発光することになる。したがって、本実施例の照明構造１４によれば、両発光面３１・３２から照射した照明光で電照パネル１５および陳列室２を同時に照明でき、さらに、電照パネル１５の全面、および陳列室２の全体を明暗を生じることもなく均一に照らすことができる。
【００３１】
また、１個の平板状の導光体２３でＬＥＤモジュール２２の照明光を均一化して、第１発光面３１と第２発光面３２に分光するので、電照パネル１５と陳列室２の双方を均一に照明できるにも拘らず、照明構造１４を簡素化してその製造に要するコストを削減できる。さらに、導光体２３の後面を反射壁３６で覆い、垂直の第１発光面３１と、反射壁３６より下側に設けた斜め下向きの第２発光面３２から照明光を発光するので、両発光面３１・３２に塵埃や水分が付着するのを極力避けることができる。これに伴い、導光体２３の清掃間隔を長期化して、メンテナンスの手間を軽減できる。
【００３２】
上記の実施例では、支持板２４の反射壁３６が変向構造４２を兼ねるようにしたがその必要はなく、導光体後面４１に照明光を反射して変向するための変向構造４２を設けることができる。たとえば、導光体後面４１を梨地状に粗面化し、その外面に反射フィルムを貼付けて変向構造４２とすることができる。その場合には、入光面３０から入射した照明光を梨地状の粗面で散乱させ、さらに第１発光面３１と導光体後面４１との間で反射させて、第１発光面３１から発光させることができる。
【００３３】
あるいは、導光体後面４１に、断面が鋸刃状の溝を水平に連続する状態で多段状に形成して変向構造４２とすることができる。その場合には、鋸刃状の溝で反射した光と、第１発光面３１と導光体後面４１との間で反射した光を第１発光面３１から発光させることができる。以上のように、導光体後面４１に変向構造４２を設ける場合の支持板２４は、導光体後面４１の全体を覆う必要はなく、少なくともビス３８を締結できる左右幅があればよい。また、導光体２３の左右側面に反射シートを配置しておくことにより、散乱する光の一部が導光体２３の左右側面から漏れ出るのを防止することができる。
【００３４】
上記の実施例では、ショーケースが冷蔵ショーケースである場合について説明したが、本発明のショーケースは、冷凍ショーケースや、常温で商品を陳列するショーケースにも同様に適用できる。また、冷蔵ショーケースに代表されるオープンショーケース以外に、電照プレートを備えているリーチイン型のショーケースにも適用することができる。
【００３５】
導光体２３は、アクリル樹脂を素材にして構成する以外に、透明なポリプロピレンを素材にして構成することができ、必要があれば透明なガラスで形成することができる。ショーケースの左右幅が大きい場合には、複数個の導光体２３をユニットベース２１に装着することができる。支持板２４の反射壁３６は、導光体後面４１に密着する状態で接合することができる。照明構造１４は、天壁１７以外に区分壁１６や押え枠１９を利用して取付けることができる。電照パネル１５は乳白色である必要はなく、任意の色で着色することができる。
【符号の説明】
【００３６】
２  陳列室
１３  照明区画
１４  照明構造
１５  電照パネル
２１  ユニットベース
２２  ＬＥＤモジュール
２３  導光体
２４  支持板
２７  基板
２８  ＬＥＤ
３０  入光面
３１  第１発光面
３２  第２発光面
３３  反射板
【図１】
2012161449.tif 000003
【図２】
2012161449.tif 000004
【図３】
2012161449.tif 000005
【図４】
2012161449.tif 000006
【図５】
2012161449.tif 000007